Podtech/llm-jp-corpus-v4-ja_patent huggingface dataset:
【手続補正書】
【提出日】令和3年7月16日(2021.7.16)
【手続補正１】
【補正対象書類名】明細書
【補正対象項目名】００２５
【補正方法】変更
【補正の内容】
【００２５】
【表８】
2020528062.tif 000001
【手続補正２】
【補正対象書類名】明細書
【補正対象項目名】００２６
【補正方法】変更
【補正の内容】
【００２６】
【表９】
2020528062.tif 000002
【手続補正３】
【補正対象書類名】明細書
【補正対象項目名】００２７
【補正方法】変更
【補正の内容】
【００２７】
【表１０】
2020528062.tif 000003
【手続補正４】
【補正対象書類名】明細書
【補正対象項目名】００２８
【補正方法】変更
【補正の内容】
【００２８】
【表１１】
2020528062.tif 000004
【手続補正５】
【補正対象書類名】明細書
【補正対象項目名】００２９
【補正方法】変更
【補正の内容】
【００２９】
【表１２】
2020528062.tif 000005
【手続補正６】
【補正対象書類名】明細書
【補正対象項目名】０１５８
【補正方法】変更
【補正の内容】
【０１５８】
実施例２９
（Ｒ）−Ｎ５−（３，４−ジフルオロフェニル）−２−メチル−Ｎ３−（１，１，１−トリフルオロプロパン−２−イル）−６，７−ジヒドロピラゾロ［１，５−ａ］ピラジン−３，５（４Ｈ）−ジカルボキサミド  ２９
【化８７】
2020528062.tif 000006
【化８８】
2020528062.tif 000007
工程１
２−（ベンジル（（３−メチル−１Ｈ−ピラゾール−５−イル）メチル）アミノ）エタン−１−オール  ２９ｂ
３−メチル−１Ｈ−ピラゾール−５−カルバルデヒド  ２９ａ（５．１ｇ、４５．４１ｍｍｏｌ、Ｓｈａｎｇｈａｉ  Ｂｉｄｅ  Ｐｈａｒｍａｔｅｃｈ  Ｌｔｄ．）を１００ｍＬのジクロロメタンに溶解し、続いて、２−（ベンジルアミノ）エタノール（６．８７ｇ、４５．４１ｍｍｏｌ）を加えた。１時間撹拌した後、反応溶液に酢酸ナトリウムボロハイドライド（９．６２ｇ、４５．４１ｍｍｏｌ）を加え、１６時間撹拌した。反応溶液を減圧下で濃縮し、得られた残渣を、溶出系ＣおよびＡを用いたシリカゲルカラムクロマトグラフィーにより精製して、表題の化合物２９ｂを得た（１１ｇ、収率：９８．７５％）。
ＭＳ  ｍ／ｚ（ＥＳＩ）：２４６．１［Ｍ＋１］。
工程２
Ｎ−ベンジル−２−クロロ−Ｎ−（（３−メチル−１Ｈ−ピラゾール−５−イル）メチル）エタン−１−アミン  ２９ｃ
化合物２９ｂ（１１ｇ、４４．８４ｍｍｏｌ）を２００ｍＬのジクロロメタンに溶解した。０℃に冷却した後、反応溶液にジクロロスルホキシド（１６．００ｇ、１３４．５２ｍｍｏｌ）を滴下して加え、４０℃で１６時間反応させた。反応溶液を室温まで冷却し、減圧下で濃縮して、粗製の表題の化合物２９ｃ（１１．８ｇ）を得て、これを精製することなく次の工程にそのまま使用した。
ＭＳ  ｍ／ｚ（ＥＳＩ）：２６４．１［Ｍ＋１］。
工程３
５−ベンジル−２−メチル−４，５，６，７−テトラヒドロピラゾロ［１，５−ａ］ピラジン  ２９ｄ
粗製の化合物２９ｃ（１１．８ｇ、４４．７４ｍｍｏｌ）を２００ｍＬのアセトニトリルに溶解した。０℃に冷却した後、反応溶液にトリエチルアミン（４６ｇ、４４７．３７ｍｍｏｌ）を加え、８０℃で１６時間反応させた。反応溶液を室温まで冷却し、減圧下で濃縮した。残渣に水１００ｍＬを加え、酢酸エチル（２００ｍＬ×２）で抽出した。有機相を合わせ、減圧下で濃縮して、粗製の表題の化合物２９ｄ（１０．１７ｇ）を得て、これを精製することなく次の工程にそのまま使用した。
ＭＳ  ｍ／ｚ（ＥＳＩ）：２２８．１［Ｍ＋１］。
工程４
５−ベンジル−３−ブロモ−２−メチル−４，５，６，７−テトラヒドロピラゾロ［１，５−ａ］ピラジン  ２９ｅ
粗製の化合物２９ｄ（２２８ｍｇ、１．０ｍｍｏｌ）を１０ｍＬのアセトニトリルに溶解し、続いて０℃で、Ｎ−ブロモスクシンイミド（１８０ｍｇ、１．０ｍｍｏｌ）を加えた。反応溶液をゆっくり室温まで温め、１６時間撹拌した。反応溶液を減圧下で濃縮し、得られた残渣を展開溶媒系Ａを用いた薄層クロマトグラフィーにより精製し、表題の化合物２９ｅを得た（１８５ｍｇ、収率：６０．６％）。
ＭＳ  ｍ／ｚ（ＥＳＩ）：３０６．１［Ｍ＋１］。
工程５
メチル  ５−ベンジル−２−メチル−４，５，６，７−テトラヒドロピラゾロ［１，５−ａ］ピラジン−３−カルボキシレート  ２９ｆ
一酸化炭素雰囲気下で、ジコバルトオクタカルボニル（２２６ｍｇ、６６２μｍｏｌ）および炭酸カリウム（４５７ｍｇ、３．３１ｍｍｏｌ）を、１０ｍＬのメタノールに加えた。６０℃で４５分間撹拌した後、反応溶液に化合物２９ｅ（１００ｍｇ、３２７μｍｏｌ）および２−クロロ酢酸メチル（２１５ｍｇ、１．９８ｍｍｏｌ）を加え、１６時間撹拌した。反応溶液を減圧下で濃縮し、酢酸エチル１００ｍＬを加え、ろ過し、酢酸エチル１００ｍＬで洗浄した。ろ液を減圧下で濃縮し、得られた残渣を展開溶媒系Ａを用いた薄層クロマトグラフィーにより精製して、表題の化合物２９ｆを得た（６０ｍｇ、収率：６４．３９％）。
ＭＳ  ｍ／ｚ（ＥＳＩ）：２８６．２［Ｍ＋１］。
工程６
メチル  ２−メチル−４，５，６，７−テトラヒドロピラゾロ［１，５−ａ］ピラジン−３−カルボキシレート  ２９ｇ
水素雰囲気下で、化合物２９ｆ（６０ｍｇ、２１０．２８μｍｏｌ）をメタノール１０ｍＬに溶解し、続いて、パラジウム−炭素水素化触媒（湿式）（２２．３８ｍｇ、２１０．２８μｍｏｌ）を加えた。１６時間撹拌した後、反応溶液をろ過した。ろ液を減圧下で濃縮して、粗製の表題の化合物２９ｇ（３０ｍｇ）を得て、これを精製することなく次の工程にそのまま使用した。
ＭＳ  ｍ／ｚ（ＥＳＩ）：１９６．２［Ｍ＋１］。
実施例２の合成経路において、工程３の出発化合物２ｃを、粗製の出発化合物２９ｇに置き換えることにより、表題の化合物２９（１０ｍｇ）を製造した。
ＭＳ  ｍ／ｚ（ＥＳＩ）：４３２．２［Ｍ＋１］。
１Ｈ  ＮＭＲ（４００ＭＨｚ，ＣＤ３ＯＤ）δ  ７．４９−７．４４（ｍ，１Ｈ），７．１９−７．１４（ｍ，２Ｈ），４．９６（ｓ，２Ｈ），４．８７−４．８３（ｍ，１Ｈ），４．２０−４．１７（ｍ，２Ｈ），４．０１−３．９６（ｍ，２Ｈ），２．４０（ｓ，３Ｈ），１．４２−１．３９（ｍ，３Ｈ）．
【手続補正書】
【提出日】令和3年3月25日(2021.3.25)
【手続補正１】
【補正対象書類名】明細書
【補正対象項目名】００２４
【補正方法】変更
【補正の内容】
【００２４】
【図１】容器としてプラスチックボトルを示す図である。
【図２】図１のボトルの上に配置されている構成要素の断面図である。
【図３】本発明による容器クロージャの機能を示す図である。
【図４】別の使用事例を示す図である。
【図５】同一のカプセルをアダプタによって様々なボトルに適合させる使用事例を示す図である。
【図６】本発明の別の実施形態を示す図である。
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
１つまたはそれ以上の原発性腫瘍または転移性腫瘍を検出するために使用される、マンノシル化されたデキストラン化合物を含む、医療用組成物。
【請求項２】
転移は肝転移であることがある、請求項１に記載の医療用組成物。
【請求項３】
撮像は、乳癌と関連しない腫瘍のためである、請求項１または２に記載の医療用組成物。
【請求項４】
99mＴｃチルマノセプトを含む、請求項１〜３のいずれか１項に記載の医療用組成物。
【請求項５】
転移性腫瘍は、肺、結直腸、腎臓、卵巣、前立腺、精巣、膵の癌、リンパ腫等からなる群から選択される癌の結果である、請求項１に記載の医療用組成物。
【請求項６】
99mＴｃ、210Ｂｉ、212Ｂｉ、213Ｂｉ、214Ｂｉ、131Ｂａ、140Ｂａ、11Ｃ、14Ｃ、51Ｃｒ、67Ｇａ、68Ｇａ、153Ｇｄ、88Ｙ、90Ｙ、91Ｙ、123Ｉ、124Ｉ、125Ｉ、131Ｉ、111Ｉｎ、115mＩｎ、18Ｆ、13Ｎ、105Ｒｈ、153Ｓｍ、67Ｃｕ、64Ｃｕ、166Ｈｏ、177Ｌｕ、223Ｒａ、62Ｒｂ、186Ｒｅおよび188Ｒｅ、32Ｐ、33Ｐ、46Ｓｃ、47Ｓｃ、72Ｓｅ、75Ｓｅ、35Ｓ、89Ｓｒ、182Ｔａ、123mＴｅ、127Ｔｅ、129Ｔｅ、132Ｔｅ、65Ｚｎおよび89Ｚｒ、および95Ｚｒからなる群から選択される診断部分を含み、前記診断部分は、好ましくは、68Ｇａまたは99mＴｃである、請求項１に記載の医療用組成物。
【請求項７】
腫瘍をインビボで撮像する方法で使用するための、１つまたはそれ以上のＣＤ２０６を標的とする部分および１つまたはそれ以上の診断部分が取り付けられたデキストラン骨格を含む化合物を含む医療用組成物であって、前記方法は：
対象に前記医療用組成物を投与すること；および
Ｘ線に基づくコンピュータ技術（ＣＴ）を用いるまたは用いない、単一光子放射のコンピュータ技術（ＳＰＥＣＴ）または陽電子放射断層撮影（ＰＥＴ）を使用して、前記対象を撮像すること；
を含み；
像は、前記対象における１つまたはそれ以上の腫瘍における前記化合物の取り込みの視覚的表示を含む、
前記医療用組成物。
【請求項８】
対象の撮像は、平面的ガンマ撮像を使用して行うことができる、請求項７に記載の医療用組成物。
【請求項９】
乳癌の結果ではない腫瘍を撮像するための、請求項７に記載の医療用組成物。
【請求項１０】
医療用組成物は治療剤をさらに含む、請求項７に記載の医療用組成物。
【請求項１１】
腫瘍をインビボで撮像する方法で使用するための、１つまたはそれ以上のＣＤ２０６を標的とする部分および１つまたはそれ以上の治療部分が取り付けられたデキストラン骨格を含む化合物を含む医療用組成物であって、前記方法は：
対象に前記医療用組成物を投与すること；および
Ｘ線に基づくコンピュータ技術（ＣＴ）を用いるまたは用いない、単一光子放射のコンピュータ技術（ＳＰＥＣＴ）または陽電子放射断層撮影（ＰＥＴ）を使用して、前記対象を撮像すること；
を含み、
像は、前記対象における１つまたはそれ以上の腫瘍における前記化合物の取り込みの視覚的表示を含む、
前記医療用組成物。
【請求項１２】
腫瘍関連マクロファージを標的とするために使用される、マンノシル化された炭水化物構造を含む医療用組成物であって、前記組成物は、１つまたはそれ以上のＣＤ２０６を標的とする部分および１つまたはそれ以上の診断部分を有するデキストラン骨格を含むか、または、１つまたはそれ以上のＣＤ２０６を標的とする部分および１つまたはそれ以上の治療部分を有するデキストラン骨格を含む、前記医療用組成物。
【請求項１３】
腫瘍関連マクロファージの存在をインビボで決定する方法で使用するための、１つまたはそれ以上のＣＤ２０６を標的とする部分および１つまたはそれ以上の診断部分が取り付けられた炭水化物骨格を含む医療用組成物であって、前記方法は：
前記医療用組成物を、対象に投与する工程；
ＳＰＥＣＴ／ＣＴを使用して、対象を撮像する工程；および
腫瘍関連マクロファージの存在を決定する工程
を含む、前記医療用組成物。
【請求項１４】
前記方法は、腫瘍関連マクロファージの数を定量化する工程、腫瘍の存在を同定する工程、および／または、前から存在する腫瘍の転移を同定する工程、をさらに含む、請求項１３に記載の医療用組成物。
【請求項１５】
前記方法は、１つまたはそれ以上のＣＤ２０６を標的とする部分および１つまたはそれ以上の診断部分を有する炭水化物骨格を含み、および、腫瘍または転移した腫瘍に投与するための治療剤を含む、医療用組成物を投与する工程をさらに含む、請求項１３または１４に記載の医療用組成物。
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
高沸点の非プロトン性溶媒中にポリアミド酸を含む溶液であって、前記ポリアミド酸は、３種以上のテトラカルボン酸成分および１種以上のジアミン成分を含む溶液。
【請求項２】
前記３種以上のテトラカルボン酸成分は、４，４’−（ヘキサフルオロイソプロピリデン）ジフタル酸無水物（６ＦＤＡ）、４，４’−オキシジフタル酸二無水物（ＯＤＰＡ）、ピロメリト酸二無水物（ＰＭＤＡ）、３，３’，４，４’−ビフェニルテトラカルボン酸二無水物（ＢＰＤＡ）、３，３’，４，４’−ベンゾフェノンテトラカルボン酸二無水物（ＢＴＤＡ）、３，３’，４，４’−ジフェニルスルホンテトラカルボン酸二無水物（ＤＳＤＡ）、４−（２，５−ジオキソ−テトラヒドロフラン−３−イル）−１，２，３，４−テトラヒドロナフタレン−１，２−ジカルボン酸無水物（ＤＴＤＡ）、４，４’−ビスフェノールＡ二無水物（ＢＰＡＤＡ）等およびそれらの組み合わせから成る群から選択される二無水物に由来する、請求項１に記載の溶液。
【請求項３】
前記１種以上のジアミン成分は、ｐ−フェニレンジアミン（ＰＰＤ）、２，２’−ビス（トリフルオロメチル）ベンジジン（ＴＦＭＢ）、ｍ−フェニレンジアミン（ＭＰＤ）、４，４’−オキシジアニリン（４，４’−ＯＤＡ）、３，４’−オキシジアニリン（３，４’−ＯＤＡ）、２，２−ビス（３−アミノ−４−ヒドロキシフェニル）ヘキサフルオロプロパン（ＢＡＨＦＰ）、１，３−ビス（３−アミノフェノキシ）ベンゼン（ｍ−ＢＡＰＢ）、４，４’−ビス（４−アミノフェノキシ）ビフェニル（ｐ−ＢＡＰＢ）、２，２−ビス（３−アミノフェニル）ヘキサフルオロプロパン（ＢＡＰＦ）、ビス［４−（３−アミノフェノキシ）フェニル］スルホン（ｍ−ＢＡＰＳ）、２，２−ビス［４−（４−アミノフェノキシ）フェニル］スルホン（ｐ−ＢＡＰＳ）、ｍ−キシリレンジアミン（ｍ−ＸＤＡ）、２，２−ビス（３−アミノ−４−メチルフェニル）ヘキサフルオロプロパン（ＢＡＭＦ）等およびそれらの組み合わせから成る群から選択されるジアミンに由来する、請求項１に記載の溶液。
【請求項４】
前記高沸点の非プロトン性溶媒は、Ｎ−メチル−２−ピロリドン（ＮＭＰ）、ジメチルアセトアミド（ＤＭＡｃ）、ジメチルスルホキシド（ＤＭＳＯ）、ジメチルホルムアミド（ＤＭＦ）、ブチロラクトン、ジブチルカルビトール、ブチルカルビトールアセテート、ジエチレングリコールモノエチルエーテルアセテート、プロピレングリコールモノメチルエーテルアセテート等およびそれらの組み合わせから成る群から選択される、請求項１に記載の溶液。
【請求項５】
前記ポリアミド酸は、高沸点の非プロトン性溶媒であるＮ−メチル−２−ピロリドン（ＮＭＰ）中の、ピロメリト酸二無水物（ＰＭＤＡ）、３，３’，４，４’−ビフェニル−テトラカルボン酸二無水物（ＢＰＤＡ）、４，４’−（ヘキサフルオロイソプロピリデン）ジフタル酸無水物（６ＦＤＡ）および２，２’−ビス（トリフルオロメチル）ベンジジン（ＴＦＭＢ）から本質的に成る、請求項４に記載の溶液。
【請求項６】
前記ピロメリト酸二無水物（ＰＭＤＡ）は、総芳香族酸二無水物組成物の１０モル％以下の量で存在し；および前記３，３’，４，４’−ビフェニル−テトラカルボン酸二無水物（ＢＰＤＡ）は、総芳香族酸二無水物組成物の７０モル％以下の量で存在し；および前記４，４’−（ヘキサフルオロイソプロピリデン）ジフタル酸無水物（６ＦＤＡ）は、総芳香族酸二無水物組成物の８０モル％以下の量で存在する、請求項５に記載の溶液。
【請求項７】
前記ピロメリト酸二無水物（ＰＭＤＡ）は、総芳香族酸二無水物組成物の０．１モル％〜５モル％の量で存在する、請求項６に記載の溶液。
【請求項８】
請求項１に記載の溶液から調製されるポリイミド薄膜であって：
ｂ*は、３．８未満であり；
４００ｎｍでの透過率は、６０％以上であり；
４３０ｎｍでの透過率は、８５％以上であり；
４５０ｎｍでの透過率は、８５％以上である、
ポリイミド薄膜。
【請求項９】
ｂ*は、２．０未満である、請求項８に記載のポリイミド薄膜。
【請求項１０】
ポリイミド薄膜を調製するための方法であって、順に下記の：
基質上に請求項１に記載の溶液をコーティングする工程；
前記コーティングされた基質をソフトベーキングする工程；
前記ソフトベーキングされたコーティング基質を複数の事前選択された時間間隔にわたって複数の事前選択された温度で処理する工程
を含み、それにより、前記ポリイミド薄膜は：
３．８未満であるｂ*；
６０％以上である４００ｎｍでの透過率；
８５％以上である４３０ｎｍでの透過率；
８５％以上である４５０ｎｍでの透過率
を示す方法。
【請求項１１】
前記ポリイミド薄膜は、２．０未満であるｂ*を示す、請求項１０に記載の方法。
【請求項１２】
電子デバイスにおけるガラスのフレキシブルな代替品であって、請求項８に記載のポリイミド薄膜を含む、ガラスのフレキシブルな代替品。
【請求項１３】
請求項１２に記載のガラスのフレキシブルな代替品を含む電子デバイス。
【請求項１４】
ガラスの前記フレキシブルな代替品は、デバイス基板、タッチパネル、カバーフィルムおよびカラーフィルターから成る群から選択されるデバイス部品において使用されている、請求項１３に記載の電子デバイス。
【手続補正書】
【提出日】令和3年7月16日(2021.7.16)
【手続補正１】
【補正対象書類名】特許請求の範囲
【補正対象項目名】全文
【補正方法】変更
【補正の内容】
【特許請求の範囲】
【請求項１】
治療薬と細胞透過性ペプチド（ＣＰＰ）を含む経上皮、経膜又は経粘膜薬物送達システム（ＴＤＳ）であって、
前記治療薬は小分子であり；
前記治療薬が前記ＣＰＰと混合されたものであり；
前記ＴＤＳは、治療薬含有ＣＰＰ修飾ナノ粒子、ミセル又はリポソームではなく；及び
前記ＴＤＳが前記治療薬を眼中へ送達することができる、薬物送達システム（ＴＤＳ）。
【請求項２】
前記眼の後眼部領域中に前記治療薬を送達することができる、請求項１に記載のＴＤＳ。
【請求項３】
点眼薬又はコンタクトレンズによって投与したときに、前記治療薬を前記眼中へ送達することができる、請求項１又は２に記載のＴＤＳ。
【請求項４】
前記治療薬が、内皮の健全性又は／及び眼の血管系の血流を保持又は改善する治療薬、抗脂質異常症薬、抗酸化剤、抗炎症剤、補体阻害剤、神経保護剤、抗血管新生薬、又はそれらの任意の組み合わせである、請求項１〜３のいずれか一項に記載のＴＤＳ。
【請求項５】
前記治療薬が、スタチンである、請求項１〜４のいずれか一項に記載のＴＤＳ。
【請求項６】
前記ＣＰＰが、ポリカチオン性ＣＰＰ、アルギニンに富むＣＰＰ又は両親媒性ＣＰＰである、請求項１〜５のいずれか一項に記載のＴＤＳ。
【請求項７】
前記ＣＰＰが、ポリアルギニン又はＴＡＴ関連ＣＰＰである、請求項１〜６のいずれか一項に記載のＴＤＳ。
【請求項８】
治療薬、細胞透過性ペプチド（ＣＰＰ）及び一以上の医薬的に許容可能な担体又は賦形剤を含む医薬組成物であって、
前記治療薬は小分子であり；
前記治療薬が前記ＣＰＰと混合されたものであり；
前記医薬組成物は、治療薬含有ＣＰＰ修飾ナノ粒子、ミセル又はリポソームを含まず；及び
前記医薬組成物が眼への局所投与用に処方される、医薬組成物。
【請求項９】
前記治療薬が、内皮の健全性又は／及び眼の血管系の血流を保持又は改善する治療薬、抗脂質異常症薬、抗酸化剤、抗炎症剤、補体阻害剤、神経保護剤、抗血管新生薬、又はそれらの任意の組み合わせである、請求項８に記載の医薬組成物。
【請求項１０】
前記治療薬が、スタチンである、請求項８又は９に記載の医薬組成物。
【請求項１１】
前記ＣＰＰが、ポリカチオン性ＣＰＰ、アルギニンに富むＣＰＰ又は両親媒性ＣＰＰである、請求項８〜１０のいずれか一項に記載の医薬組成物。
【請求項１２】
前記ＣＰＰが、ポリアルギニン又はＴＡＴ関連ＣＰＰである、請求項８〜１１のいずれか一項に記載の医薬組成物。
【請求項１３】
点眼薬又はコンタクトレンズによって投与するために製剤化される、請求項８〜１２のいずれか一項に記載の医薬組成物。
【請求項１４】
眼疾患を治療するのに使用するための、請求項１〜７のいずれか一項に記載の経上皮、経膜若しくは経粘膜薬物送達システム（ＴＤＳ）又は請求項８〜１３のいずれか一項に記載の医薬組成物。
【請求項１５】
前記眼疾患が、萎縮型又は新生血管型加齢黄斑変性である、請求項１４に記載の使用のためのＴＤＳ又は医薬組成物。
【誤訳訂正書】
【提出日】令和3年4月30日(2021.4.30)
【誤訳訂正１】
【訂正対象書類名】特許請求の範囲
【訂正対象項目名】請求項１
【訂正方法】変更
【訂正の内容】
【請求項１】
水性コーティング組成物であって、
（ａ）ポリマーを含む水性ポリマー分散液であって、前記ポリマーが、前記ポリマーの重量に基づいて、
２．１重量％〜４．５重量％のα、β−エチレン性不飽和カルボン酸モノマーの構造単位、および
０．０５重量％〜１．８重量％のエチレン性不飽和シラン官能性モノマーの構造単位を含む、水性ポリマー分散液と、
（ｂ）亜鉛イオンを含む亜鉛アンモニア錯塩の水溶液と、
（ｃ）前記水性コーティング組成物の総重量に基づいて、６０重量％〜９０重量％の充填剤と、を含み、
前記ポリマーに対する前記亜鉛イオンの重量比が、０．７％〜６％の範囲である、水性コーティング組成物。
【誤訳訂正２】
【訂正対象書類名】特許請求の範囲
【訂正対象項目名】請求項６
【訂正方法】変更
【訂正の内容】
【請求項６】
前記ポリマーが、前記ポリマーの重量に基づいて、２．２重量％〜３．５重量％のα、β−エチレン性不飽和カルボン酸モノマーの構造単位を含む、請求項１に記載の水性コーティング組成物。
【誤訳訂正３】
【訂正対象書類名】特許請求の範囲
【訂正対象項目名】請求項８
【訂正方法】変更
【訂正の内容】
【請求項８】
（ａ）ポリマーを含む水性ポリマー分散液であって、前記ポリマーが、前記ポリマーの重量に基づいて、
２．１重量％〜４．５重量％のα、β−エチレン性不飽和カルボン酸モノマーの構造単位、および
０．０５重量％〜１．８重量％のエチレン性不飽和シラン官能性モノマーの構造単位を含む、水性ポリマー分散液と、
（ｂ）亜鉛イオンを含む亜鉛アンモニア錯塩の水溶液と、
（ｃ）水性コーティング組成物の総重量に基づいて、６０重量％〜９０重量％の充填剤と、を混合することを含み、
前記ポリマーに対する前記亜鉛イオンの重量比が、０．７％〜６％の範囲である、請求項１〜７のいずれか１項の水性コーティング組成物を調製するためのプロセス。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
携帯型生体分析機器であって、
位置合わせ構造と、
前記位置合わせ構造に見当合わせされたパルス光源と、
前記位置合わせ構造に形成され、パッケージ化バイオ光電子チップを受け入れるように構成されたチップレセプタクルと、
前記位置合わせ構造に見当合わせされ、前記パルス光源から前記パッケージ化バイオ光電子チップに光パルスのビームを方向制御するように構成されたビームステアリングアセンブリと、を備え、
前記位置合わせ構造は、前記携帯型生体分析機器内または前記携帯型生体分析機器上に少なくとも１つの囲い壁の大部分を形成し、且つ放熱機能を提供する、生体分析機器。
【請求項２】
前記少なくとも１つの囲い壁は、前記生体分析機器の外壁を含み、前記生体分析機器内で発生した熱を前記生体分析機器の外に直接的に放散する、請求項１に記載の生体分析機器。
【請求項３】
前記少なくとも１つの囲い壁は、前記生体分析機器内の強制された空気流を案内するかまたは遮断する、請求項１に記載の生体分析機器。
【請求項４】
前記生体分析機器の重量は、３キログラム以下であり、前記生体分析機器は、２５センチメートル以下の最大エッジ長さを有する、請求項１に記載の生体分析機器。
【請求項５】
前記位置合わせ構造は、前記パルス光源および前記ビームステアリングアセンブリが見当合わせされる見当合わせプラットフォームを備え、
前記見当合わせプラットフォームに取り付けられ、光パルスのビームに作用する少なくとも１つの光学部品をさらに備える請求項４に記載の生体分析機器。
【請求項６】
前記パッケージ化バイオ光電子チップおよび前記少なくとも１つの光学部品は、前記見当合わせプラットフォームの第１の表面に見当合わせされ、前記パルス光源および前記ビームステアリングアセンブリは、前記見当合わせプラットフォームの第１の表面に対向する第２の表面に見当合わせされる、請求項５に記載の生体分析機器。
【請求項７】
前記チップレセプタクルに隣接して配置され、前記パッケージ化バイオ光電子チップから室に向かって熱を伝達するように構成されたサーマルポストと、
前記室内に配置され、前記サーマルポストに熱的に結合された熱放散要素と、をさらに備える請求項１〜４のいずれか１項に記載の生体分析機器。
【請求項８】
前記パルス光源が搭載された回路基板に取り付けられ、前記パルス光源から室に向かって熱を伝達するように構成された熱伝導性補強要素と、
前記室内に配置され、前記熱伝導性補強要素に熱的に結合された熱放散要素と、をさらに備える請求項１〜４のいずれか１項に記載の生体分析機器。
【請求項９】
前記パルス光源は、
レーザダイオードが搭載されたパルスソース回路基板と、
前記パルスソース回路基板上に構成されたレーザダイオードのドライバ回路であって、前記パルスソース回路基板は、前記ビームステアリングアセンブリに直接的に取り付けられる、前記ドライバ回路と、を含む、請求項１〜４のいずれか１項に記載の生体分析機器。
【請求項１０】
前記ビームステアリングアセンブリ内の可動構成要素の動きを検知するパルスソース回路基板上に位置する誘導性センサと、
前記ビームステアリングアセンブリ内の可動構成要素に取り付けられ、前記可動構成要素の動きに伴って前記誘導性センサのインダクタンスを変化させる導電性要素と、をさらに備える請求項９に記載の生体分析機器。
【請求項１１】
前記パルスソース回路基板に取り付けられた集光レンズと、
前記パルスソース回路基板に取り付けられた２つ以上のボイスコイルであって、前記ビームステアリングアセンブリ内の可動構成要素を作動させるように構成される２つ以上のボイスコイルと、
前記バイオ光電子チップ上の少なくとも１つのフォトダイオードから信号を受信し、前記２つ以上のボイスコイルを活性化させて光パルスを前記光カプラに対して位置決めするように構成されたビーム制御回路と、をさらに備える請求項１０に記載の生体分析機器。
【請求項１２】
前記ビームステアリングアセンブリは、前記チップレセプタクルの位置における光パルスのビームの位置の動きを、２時間にわたって、ドリフトが１ミクロン以下に安定化させる、請求項１１に記載の生体分析機器。
【請求項１３】
前記パルスソース回路基板を補強するパルスソース回路基板に取り付けられた基板補強要素をさらに備え、
前記基板補強要素は、任意選択的に、熱放散要素に熱的に結合される、請求項９に記載の生体分析機器。
【請求項１４】
前記ドライバ回路は、
単極パルスを生成するように構成されたパルス発生回路と、
電気パルスをレーザダイオードに出力するダイオードドライバ回路と、を含み、
前記ダイオードドライバ回路は、
共通ソース増幅器として接続され、前記パルス発生回路から単極パルスを受け取るように構成された第１のトランジスタと、
ソースフォロワとして接続され、前記共通ソース増幅器からの出力を受け取るように構成された第２のトランジスタと、を含む、請求項９に記載の生体分析機器。
【請求項１５】
前記ビームステアリングアセンブリは、
レンズと、
前記レンズを支持し、前記レンズを２つの軸の周りで回転させて、前記レンズを通過するビームを横方向に平行移動させるジンバルと、を含む、請求項１〜４のいずれか１項に記載の生体分析機器。
【請求項１６】
前記生体分析機器は、前記パッケージ化バイオ光電子チップから受信したデータを処理してＤＮＡに関する情報、１つまたは複数のタンパク質に関する情報、または少なくとも１つの代謝反応に関する情報を決定するように構成されている、請求項１〜４のいずれか１項に記載の生体分析機器。
【請求項１７】
請求項１〜１６のいずれか１項に記載の携帯型生体分析機器を動作させる方法であって、
位置合わせ構造に見当合わせされたパルス光源によって光パルスのビームを生成すること、
前記位置合わせ構造に見当合わせされたビームステアリングアセンブリによって、前記位置合わせ構造内に形成されたチップレセプタクルに前記光パルスのビームを方向制御することであって、前記位置合わせ構造は、前記携帯型生体分析機器内または前記携帯型生体分析機器上に少なくとも１つの囲い壁の大部分を形成する、前記方向制御すること、
前記少なくとも１つの囲い壁を用いて前記生体分析機器内で発生した熱を放散すること、を備える方法。
【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
細菌組成物の調製方法であって、
（ａ）有益な細菌とバイオフィルム生成細菌とを、マンガンを含む増殖培地中で、前記有益な細菌と非病原菌とを含むバイオフィルムを生成する条件下、インビトロで共培養し、
（ｂ）前記バイオフィルムを前記増殖培地から単離することで、前記細菌組成物を調製する
ことを含む、方法。
【請求項２】
前記バイオフィルム生成細菌が非病原菌である、請求項１に記載の方法。
【請求項３】
前記バイオフィルム生成細菌がbacillus属である、請求項１又は２に記載の方法。
【請求項４】
前記バイオフィルム生成細菌がB. subtilis種である、請求項３に記載の方法。
【請求項５】
前記バイオフィルム生成細菌が１２７１８５／２株である、請求項４に記載の方法。
【請求項６】
前記有益な細菌がプロバイオティック細菌である、請求項１に記載の方法。
【請求項７】
前記プロバイオティック細菌がlactobacillales目である、請求項６に記載の方法。
【請求項８】
前記バイオフィルム生成細菌がB. subtilis種である、請求項６又は７に記載の方法。
【請求項９】
前記プロバイオティック細菌がL. plantarum種である、請求項６又は７に記載の方法。
【請求項１０】
前記増殖培地がデキストロースを含む、請求項１〜９のいずれか一項に記載の方法。
【請求項１１】
前記増殖培地が、ＬＢ培地、ＬＢＧＭ培地、牛乳培地及びＭＲＳ培地からなる群より選択される、請求項１〜９のいずれか一項に記載の方法。
【請求項１２】
前記バイオフィルム生成細菌がbacillus属であり、前記有益な細菌がlactobacillales目であるとき、前記増殖培地がＬＢＧＭ培地、牛乳培地又はＭＲＳ培地である、請求項１に記載の方法。
【請求項１３】
前記条件がｐＨ６．５〜８を含む、請求項１２の方法。
【請求項１４】
前記増殖培地がアセトインを含む、請求項１〜１３のいずれか一項に記載の方法。
【請求項１５】
請求項１〜１４のいずれか一項に記載の方法によって得ることができる細菌組成物。
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
貯留層領域の地震データおよび前記貯留層領域内の少なくとも１つの井戸の井戸検層データにアクセスすることと、
前記井戸検層データの少なくとも一部を処理して、複数の井戸の層序学的層の特徴を識別することと、
前記地震データの少なくとも一部を処理して、複数の地震の層序学的層の特徴を識別することと、
層序学的知識ベースに基づいて、特徴照合アルゴリズムを複数の特徴照合アルゴリズムから選択することと、
前記複数の井戸の層序学的層の特徴を前記複数の地震の層序学的層の特徴と照合することと、
前記複数の地震の層序学的層の特徴に一致する前記複数の井戸の層序学的層の特徴を使用して、層序学的層の特徴を伝搬し、前記貯留層領域の層序学的層解釈を定義することと、
前記層序学的層解釈をユーザに対して視覚化することとを含んでいる、コンピュータ化された方法。
【請求項２】
前記層序学的層解釈に対するユーザ補正を受信することをさらに含んでいる、請求項１に記載の方法。
【請求項３】
前記層序学的層解釈を前記層序学的知識ベースに登録することと、前記層序学的層解釈を前記複数の特徴照合アルゴリズムの選択基準に統合するための少なくとも１つの機械学習アルゴリズムを更新することとをさらに含んでいる、請求項１に記載の方法。
【請求項４】
少なくとも１つの機械学習アルゴリズムを使用して、前記層序学的知識ベースに基づいて、ウェルタイの特徴アルゴリズムを複数のウェルタイの特徴アルゴリズムから選択することであって、前記選択されたウェルタイの特徴アルゴリズムが前記複数の井戸の層序学的層の特徴を識別するために使用される、前記選択することと、
少なくとも１つの機械学習アルゴリズムを使用して、前記層序学的知識ベースに基づいて、地震トレースの特徴アルゴリズムを複数の地震トレースの特徴アルゴリズムから選択することであって、前記選択された地震トレースの特徴アルゴリズムが前記複数の地震の層序学的層の特徴を識別するために使用される、前記選択することとをさらに含んでいる、請求項１に記載の方法。
【請求項５】
前記選択するステップが、少なくとも１つの機械学習アルゴリズムおよび過去の層序学的層解釈を使用して、前記特徴照合アルゴリズムを前記複数の特徴照合アルゴリズムから選択することを含んでいる、請求項１に記載の方法。
【請求項６】
前記伝搬するステップが、前記複数の地震の層序学的層の特徴に一致する前記複数の井戸の層序学的層の特徴を使用して、少なくとも１つの層序学的層位を連続的に定義することと、スライド・ウィンドウを使用して、第１の位置での少なくとも１つの一致する井戸の層序学的層の特徴および地震の層序学的層の特徴を、隣接する位置での地震の層序学的層の特徴と比較し、前記貯留層領域の前記層序学的層解釈を作成することとを含んでいる、請求項１に記載の方法。
【請求項７】
前記地震データおよび井戸検層データが貯留層データ・ソースに含まれており、前記貯留層データ・ソースが前記貯留層領域内の複数の井戸の位置での複数の井戸の複数の井戸検層を含んでおり、前記井戸検層データの少なくとも一部を前記処理するステップが、前記複数の井戸の位置ごとに前記複数の井戸の層序学的層の特徴を識別することを含んでおり、前記地震の特徴抽出モジュールが、前記複数の井戸の位置ごとに前記複数の地震層の特徴を識別し、前記特徴照合モジュールが、前記複数の井戸の層序学的層の特徴の少なくとも一部を、前記複数の井戸の位置の各々での前記複数の地震の層序学的層の特徴の一部と照合し、前記伝搬するステップが、前記複数の井戸の位置の各々の間の前記層序学的層解釈を定義することを含んでいる、請求項１に記載の方法。
【請求項８】
前記視覚化するステップが、前記層序学的層解釈を変更するために、解釈ビジュアライザおよびユーザ補正モジュールを使用することを含んでいる、請求項１に記載の方法。
【請求項９】
前記視覚化するステップが、前記層序学的層解釈を前記層序学的知識ベースに登録する解釈登録モジュールを使用することを含んでおり、前記層序学的知識ベースが、前記層序学的層解釈を前記複数の特徴照合アルゴリズムの選択基準に統合するための少なくとも１つの機械学習アルゴリズムを含んでいる、請求項８に記載の方法。
【請求項１０】
前記複数の井戸の層序学的層の特徴を識別するステップ、前記複数の地震の層序学的層の特徴を識別するステップ、および前記選択するステップのうちの少なくとも１つが、前記地震データおよび井戸検層データを前記層序学的知識ベース内の過去の層序学的層解釈と比較して、機械学習アルゴリズムを選択して使用する、請求項１に記載の方法。
【請求項１１】
前記視覚化するステップが、前記機械学習アルゴリズムを使用して、過去の層序学的層解釈と前記層序学的層解釈の間の類似性の説明を表示する、推論モジュールを使用することを含んでいる、請求項１０に記載の方法。
【請求項１２】
請求項１ないし１１のいずれかに記載の前記方法の前記ステップのすべてを実行するのに適している手段を含んでいる、システム。
【請求項１３】
コンピュータ・システム上で実行されたときに、請求項１ないし１１のいずれかに記載の前記方法の前記ステップのすべてを実行するための命令を含んでいる、コンピュータ・プログラム。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
撮像装置を使って、宝飾品上に１つまたは複数の宝石を保持することを可能とする１つまたは複数の宝石保持部を撮影した、前記宝飾品の静止画像、ビデオ画像、およびレーザーベースのトポグラフィモデルのうちの１つまたは複数を含む、前記宝飾品の第１画像セットを第１時間間隔で撮影することと、
前記撮像装置を使って、前記１つまたは複数の宝石保持部を撮影した、前記宝飾品の静止画像、ビデオ画像、およびレーザーベースのトポグラフィモデルのうちの１つまたは複数を含む、前記宝飾品の第２画像セットを第２時間間隔で撮影することと、
ソフトウェアプログラムを実行することで設定されるコンピュータ装置により、前記第１画像セットおよび前記第２画像セットをそれぞれ処理して、前記１つまたは複数の宝石保持部のセッティングを含む、前記１つまたは複数の宝石保持部の物理的特性を抽出することと、
前記コンピュータ装置により、前記第１画像セットおよび前記第２画像セットに表されている前記１つまたは複数の宝石保持部の前記セッティングを少なくとも比較して、前記１つまたは複数の宝石保持部の前記セッティングにおける変化を特定することと、
前記コンピュータ装置により、前記第１画像セットと前記第２画像セットの比較結果を表示すること、
とを含む、宝飾品の検証方法。
【請求項２】
前記第１画像セットと前記第２画像セットを比較することが、前記１つまたは複数の宝石保持部の前記セッティングの前記変化に基づいて前記１つまたは複数の宝石の大きさまたは位置の変化を確認することをさらに含む、請求項１に記載の方法。
【請求項３】
前記宝飾品の前記第１画像セットおよび前記第２画像セットを撮影することが、前記１つまたは複数の宝石のインクルージョン、ガードル、およびファセットのうちの１つまたは複数の画像、前記宝飾品の金属部および前記１つまたは複数の宝石の１つまたは複数の上の刻印の画像を撮影することをさらに含む、請求項１に記載の方法。
【請求項４】
前記比較するステップが、前記第１画像セットおよび前記第２画像セットからそれぞれ抽出された前記１つまたは複数の宝石保持部の前記物理的特性の間の差分を計算することを含む、請求項１に記載の方法。
【請求項５】
前記第１画像セットおよび前記第２画像セットの間で所与の画像セットを処理する前記ステップが、
前記所与の画像セットから、ポイントツーポイント図および線図のうちの１つまたは複数である、前記宝飾品の図を生成すること、を含み、
前記宝石保持部および前記１つまたは複数の宝石を含む前記宝飾品の各物理的特性が前記生成された図から求められる、
請求項１に記載の方法。
【請求項６】
前記比較するステップが、
前記第１画像セットから生成された前記図を前記第２画像セットから生成された前記図へ重ね合わせることと、
前記重ねあわされた図に基づいて、ピクセルごとに比較する方法を使って前記セッティングにおける前記変化を計算すること、
とを含む、請求項５に記載の方法。
【請求項７】
前記宝飾品の所有者へセキュリティ用親鍵を提供することであって、前記宝飾品の前記図がデータベースに格納されていて前記親鍵に関連付けられている、提供することと、
前記宝飾品をある人から別の人へ譲渡するのに関連して、
前記第１画像セットと前記第２画像セットの前記比較結果に基づいて前記宝飾品を検証することと、
前記親鍵を新しい所有権を使って更新することと、
前記更新された親鍵を新しい所有者へ提供すること、
とをさらに含む、請求項５に記載の方法。
【請求項８】
前記所与の画像セットを処理する前記ステップが、前記宝飾品の前記１つまたは複数の宝石保持部および前記１つまたは複数の宝石をエッジ検出画像処理方法を使って分離すること、をさらに含む、請求項１に記載の方法。
【請求項９】
前記１つまたは複数の宝石保持部の前記セッティングに変化が確認された場合に、警告を生成することをさらに含む、請求項１に記載の方法。
【請求項１０】
前記宝飾品の金属部および前記１つまたは複数の宝石の物理的識別データ、タイムスタンプ、前記第１画像セットおよび前記第２画像セットを撮影した場所のうちの１つまたは複数をデータベースに格納することをさらに含む、請求項１に記載の方法。
【請求項１１】
前記１つまたは複数の宝石保持部の前記セッティングの前記変化に基づいて前記宝飾品の金属部または前記１つまたは複数の宝石における変化を特定することと、
前記金属部または前記１つまたは複数の宝石における前記変化に基づいて前記宝飾品の査定額の変化を判定すること、
とをさらに含む、請求項１に記載の方法。
【請求項１２】
前記第１画像セットおよび前記第２画像セットをデータベースに格納することであって、前記データベースが、ソフトウェアアプリケーションを実行することで設定されるコンピュータ装置を有する自動宝飾品鑑定システムに接続される、格納することと、
前記自動宝飾品鑑定システムにより、前記宝飾品の第１査定額を前記第１時間間隔で、前記宝飾品の第２査定額を前記第２時間間隔で、それぞれ前記第１画像セットおよび前記第２画像セットを使って見積もりを行うこと、
とをさらに含む、請求項１１に記載の方法。
【請求項１３】
宝飾品を検証するためのシステムであって、
宝飾品上に１つまたは複数の宝石を保持することを可能とする１つまたは複数の宝石保持部を撮影した、前記宝飾品の静止画像、ビデオ画像、およびレーザーベースのトポグラフィモデルのうちの１つまたは複数を含む、前記宝飾品の第１画像セットおよび前記第２画像セットを、それぞれ第１時間間隔および第２時間間隔で撮影するための撮像装置と、
前記第１画像セットおよび前記第２画像セットを格納するためのデータベースと、
前記第１画像セットおよび前記第２画像セットをそれぞれ処理して前記１つまたは複数の宝石保持部のセッティングを含む、前記１つまたは複数の宝石保持部の物理的特性を抽出し、また前記第１画像セットおよび前記第２画像セットに表されている前記１つまたは複数の宝石保持部の前記セッティングを少なくとも比較して前記１つまたは複数の宝石保持部の前記セッティングにおける変化を特定するための処理部と、
出力ディスプレイであって、
前記第１画像セットおよび前記第２画像セットを表示し、
前記第１画像セットと前記第２画像セットの前記比較結果を表示する、
ための出力ディスプレイ、
とを含む、宝飾品の検証システム。
【請求項１４】
前記データベースが、前記１つまたは複数の宝石のインクルージョン、ガードル、およびファセットの画像、金属部および前記１つまたは複数の宝石上の刻印の画像、前記金属部および前記１つまたは複数の宝石の物理的識別データ、前記第１画像セットおよび前記第２画像セットを撮影、記憶した日時を含む、前記第１画像セットおよび前記第２画像セットのタイムスタンプのうちの１つまたは複数をさらに格納する、請求項１３に記載のシステム。
【請求項１５】
ソフトウェアアプリケーションを実行することで設定されるコンピュータ装置を有し、前記格納された画像および前記１つまたは複数の宝石保持部の前記セッティングにおける前記特定された変化のうち１つまたは複数を使って、前記宝飾品の査定額を見積もるように構成された自動宝飾品鑑定システムをさらに含む、請求項１３に記載のシステム。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
ブロックチェーンネットワークのノードのための、コンピュータにより実施される方法であって、前記ノードは、ピアノードへ接続される複数のインターフェイスを有する、前記方法において、
ある期間にわたってノードによって処理可能な最大データの量に基づいてノードの帯域幅容量を決定することと、
前記ノードのインターフェイスを通るピアノードからの入力データ及び前記ピアノードへの出力データを含むデータをモニタし、前記入力データと出力データとの間の差から前記ノードのプロファイル係数を決定することと、
複数の期間にわたって前記データをモニタすることと、
前記モニタされたデータと、前記ノードへ接続可能なピアの最大数とに従って、前記ノードへ接続可能なピアノードの最小数及びピアノードの最大数をセットすることと
を有する前記方法。
【請求項２】
少なくとも１つの期間にわたって、前記モニタされたデータは、比を決定するために使用され、前記ノードへ接続可能な前記ピアノードの最小数及びピアノードの最大数をセットすることは、前記比を用いて決定される、
請求項１に記載の方法。
【請求項３】
前記プロファイル係数は、前記ノードの機能に従って値を割り当てられ、前記プロファイル係数は、
データを転送するよう構成されるノードについての１の値と、
データを収集又はアグリゲートするノードについての１よりも大きい値と、
データを生成又は供給するノードについての１に満たない値と
を有する、
請求項２に記載の方法。
【請求項４】
前記ノードは、ピアノードへ接続される複数のインターフェイスを有し、相関行列は、前記ノードの各インターフェイスで処理されるデータ間の相関を表す相関係数から決定され、前記期間は、前記相関行列の変更間の時間の長さから決定される、
請求項１乃至３のうちいずれか一項に記載の方法。
【請求項５】
前記ノードは、ブロックチェーンネットワーク上のノードの活動に関する情報を受信し、前記相関行列の変更間の前記時間の長さに従って前記期間を決定する、
請求項４に記載の方法。
【請求項６】
前記複数の期間にわたるデータの平均を有する平均データが、前記最大データに対する平均データの比を決定することによって、前記ノードへ接続可能なピアノードの前記最小数及び前記最大数を決定するために使用される、
請求項１乃至５のうちいずれか一項に記載の方法。
【請求項７】
複数の期間にわたって前記データの分散を決定し、該分散にスケーリング係数を適用し、該スケーリングされた分散に従って前記ノードへ接続可能なピアノードの前記最小数及び前記最大数を決定することを更に含む、
請求項６に記載の方法。
【請求項８】
前記ノードへ接続可能なピアノードの前記最小数及び前記最大数は、次の式：
【数１６】
2020528595.tif 000001
に従って決定され、ｍｍｉｎ及びｍｍａｘは、夫々、前記ノードへ接続可能なピアノードの前記最小数及び前記最大数であり、
ｄ＊は、前記複数の期間にわたるデータの平均レベルであり、
Ｄは、期間にわたって前記ノードによって処理可能な前記最大データであり、
Ｐは、前記ノードへ接続可能なピアの前記最大数であり、
σ２は、前記データの前記分散であり、
ｔは、スケーリング係数又は分散パラメータであり、
ｍｍａｘ≦Ｐである、
請求項７に記載の方法。
【請求項９】
前記スケーリング係数又は分散パラメータｔは、動作範囲
【数１７】
2020528595.tif 000002
を有し、
前記動作範囲にわたる前記分散パラメータの平均値は、前記ノードへ接続可能なピアノードの前記最小数及び前記最大数を決定するときに使用される、
請求項８に記載の方法。
【請求項１０】
前記期間は、前記ノードによって、
前記ノードへの局所パラメータ更新と、
前記ノードがデータを蓄積する開始期間と、
全てのピアノードへのデータの一時的なリレーと
のうちの少なくとも１つに適応するよう一時的に所定値へ調整される、
請求項１乃至９のうちいずれか一項に記載の方法。
【請求項１１】
前記期間は、フロー制御パラメータであり、該パラメータは、前記ノードを通るトラフィックを変更するよう調整される、
請求項１乃至１０のうちいずれか一項に記載の方法。
【請求項１２】
前記ノードは、ピアノードへ接続される複数のインターフェイスを有し、該複数は、ピアノードへ接続されるインターフェイスの少なくとも最小数であり、且つ、ピアノードへ接続されるインターフェイスの最大数以下であり、当該方法は、
前記ノードの各インターフェイスで処理されるデータ間の相関を表す相関係数を有する相関行列を決定することと、
前記ノードの受信インターフェイスでデータを受信することと、
前記ノードの複数の他のインターフェイスの中から少なくとも１つの他のインターフェイスを選択し、該少なくとも１つの他のインターフェイスから前記受信されたデータをリレーすることであり、他のインターフェイスは、前記受信インターフェイスの前記相関係数の組に従って選択される、ことと
を更に有する、
請求項１乃至１１のうちいずれか一項に記載の方法。
【請求項１３】
インジケータが前記相関行列から導出され、データは、前記受信インターフェイスと前記少なくとも１つの他のインターフェイスとの間の相関が前記インジケータを下回る場合にリレーされる、
請求項１２に記載の方法。
【請求項１４】
プロセッサによって実行されるときに、該プロセッサに、請求項１乃至１３うちいずれか一項に記載の方法を実行させるプログラム。
【請求項１５】
インターフェイスデバイスと、該インターフェイスデバイスへ結合される１以上のプロセッサと、該１以上のプロセッサへ結合されるメモリとを有し、
前記メモリは、前記１以上のプロセッサによって実行される実行されるときに、該１以上のプロセッサに、請求項１乃至１３のうちいずれか一項に記載の方法を実行させるコンピュータ実行可能命令を記憶している、
電子デバイス。
【請求項１６】
ブロックチェーンネットワークのノードであって、
請求項１乃至１３のうちいずれか一項に記載の方法を実行するよう構成される前記ノード。
【請求項１７】
請求項１６に記載のノードを有するブロックチェーンネットワーク。
【手続補正書】
【提出日】令和3年7月5日(2021.7.5)
【手続補正１】
【補正対象書類名】特許請求の範囲
【補正対象項目名】全文
【補正方法】変更
【補正の内容】
【特許請求の範囲】
【請求項１】
ワイヤグリッド偏光子上にシラン化合物を蒸着する方法であって、
前記ワイヤグリッド偏光子をチャンバ内に配置する段階と、
前記チャンバ内にシラン化合物と水とを導入する段階であって、前記シラン化合物と前記水とは、前記チャンバ内で気相である、段階と、
前記チャンバ内で前記シラン化合物と前記水とを同時に前記気相に維持し、かつ、前記チャンバ内で前記シラン化合物と前記水とを反応させて、（Ｒ１）２Ｓｉ（ＯＨ）２分子を形成する段階であって、式中、各Ｒ１は、独立に任意の化学元素または基である、段階と、
前記（Ｒ１）２Ｓｉ（ＯＨ）２分子と前記ワイヤグリッド偏光子および他の（Ｒ１）２Ｓｉ（ＯＨ）２分子との化学反応により、前記ワイヤグリッド偏光子上にシランコーティングを形成する段階とを備える
方法。
【請求項２】
前記（Ｒ１）２Ｓｉ（ＯＨ）２分子は、Ｒ１Ｓｉ（ＯＨ）３を含み、前記Ｒ１Ｓｉ（ＯＨ）３は、ガス状分子であり、かつ
Ｒ１Ｓｉ（ＯＨ）３において、Ｒ１は、パーフルオロ化された基を含む炭素鎖を有する、
請求項１に記載の方法。
【請求項３】
前記シラン化合物は、Ｒ１Ｓｉ（Ｒ２）３分子を含み、
各Ｒ２は、独立に−Ｃｌ、−ＯＲ３、−ＯＣＯＲ３、または、−Ｎ（Ｒ３）２であり、
各Ｒ３は、独立に−ＣＨ３、−ＣＨ２ＣＨ３、または、−ＣＨ２ＣＨ２ＣＨ３であり、
前記（Ｒ１）２Ｓｉ（ＯＨ）２分子はＲ１Ｓｉ（ＯＨ）３分子を含み、前記Ｒ１Ｓｉ（ＯＨ）３分子は、ガス状分子である、
請求項１または請求項２に記載の方法。
【請求項４】
Ｒ１は、−ＣＨ３であり、かつ、（ＣＨ３）２Ｓｉ（ＯＨ）２分子の一対は反応して、前記気相内で
【化５】
2020528563.tif 000001
を形成する、
請求項１から請求項３のいずれか１項に記載の方法。
【請求項５】
前記シランコーティングの厚さを２ｎｍ以上２０ｎｍ以下の間とするように、前記チャンバ内の前記水の量を制御する段階をさらに備える、
請求項１から請求項４のいずれか１項に記載の方法。
【請求項６】
前記チャンバ内に前記シラン化合物と前記水とを導入する前に、前記ワイヤグリッド偏光子上に二酸化シリコンのコンフォーマルコーティングを適用する段階であって、前記二酸化シリコンのコンフォーマルコーティングは、０．５ｎｍ以上３０ｎｍ以下の厚さを有する、段階をさらに備える、
請求項１から請求項５のいずれか１項に記載の方法。
【請求項７】
前記シランコーティングの形成は、シランと前記ワイヤグリッド偏光子との間に共有結合を形成する段階と、各層のシランと隣接する層のシランとの間で共有結合を形成する段階とを含む、
請求項１から請求項６のいずれか１項に記載の方法。
【請求項８】
前記シラン化合物と前記水とを前記チャンバ内で、同時に、少なくとも５分間、前記気相に維持する段階をさらに備える、
請求項１から請求項７のいずれか１項に記載の方法。
【請求項９】
前記（Ｒ１）２Ｓｉ（ＯＨ）２分子の一対は反応し、化学式（１）、化学式（２）、化学式（３）、
【化６】
2020528563.tif 000002
または、これらの組み合わせを形成する段階を備える、
請求項１から請求項８のいずれか１項に記載の方法。
【請求項１０】
前記チャンバ内の、前記気相である前記水の密度は、０．３ｇ／ｍ３と３０ｇ／ｍ３との間である、
請求項１から請求項９のいずれか１項に記載の方法。
【手続補正書】
【提出日】令和3年7月30日(2021.7.30)
【手続補正１】
【補正対象書類名】特許請求の範囲
【補正対象項目名】請求項４
【補正方法】変更
【補正の内容】
【請求項４】
テラヘルツデータ通信速度用に使用可能な光学変調器であって、請求項１〜３のいずれか１項に記載の光学スイッチ装置と、入力電磁放射を前記光学スイッチ装置に導くように構成された入力波線と、前記光学スイッチ装置によって少なくとも部分的に変更された、出力電磁放射を転送するように構成された出力波線と、を備える、光学変調器。
【手続補正２】
【補正対象書類名】特許請求の範囲
【補正対象項目名】請求項５
【補正方法】変更
【補正の内容】
【請求項５】
テラヘルツデータ通信速度に対して使用可能な光学変調アセンブリであって、前記光学変調アセンブリに入力電磁放射を導入するように構成された入力波線と、該入力波線から前記入力電磁放射を受信するように構成された光学スプリッタと、前記入力波線から前記電磁放射の部分を受ける為に前記光学スプリッタに光学的に結合されて、それによって分岐された第１および第２の波線と、該第１および第２の波線の少なくとも一方の各コアに光学的に結合された請求項２の少なくとも１つの光学スイッチ装置と、前記第１および第２の波線に光学的に結合され、前記光学スプリッタから受けて、かつ、前記少なくとも１つの光学スイッチ装置によって少なくも部分的に変更された、電磁放射を合成する光学合成器と、を備える光学変調アセンブリ。